(57)【要約】      （修正有）【課題】表示部を備える携帯端末の防水性能の向上を図る。【解決手段】この携帯端末１において、ケース本体１０には、開口部１３が設けられている。表示ウィンドウ３０は、開口部１３の全周においてケース本体１０と重なり合うように、開口部１３に取付けられており、表示パネル４１は、開口部１３と位置的に対応して取付けられている。そして、第１の防水部材である両面接着テープ６０は、開口部１３の全周においてケース本体１０と表示ウィンドウ３０との間に介在し、ケース本体１０と表示ウィンドウ３０との間を密閉する。また、第２の防水部材７０は、ケース本体１０と表示パネル４１との間に介在し、ケース本体１０と表示パネル４１との間を密閉する。【選択図】図２
2006048098.tif 000002
【特許請求の範囲】
【請求項１】
携帯端末において、
開口部が設けられたケース本体と、
前記開口部の全周において前記ケース本体と重なり合うように、前記開口部に取付けられたシート状の透明部材と、
前記開口部と位置的に対応して取付けられた表示パネルと、
前記開口部の全周における前記ケース本体と前記透明部材との間に介在し、前記ケース本体と前記透明部材との間を密閉する第１の防水部材と、
前記ケース本体と前記表示パネルとの間に介在し、前記ケース本体と前記表示パネルとの間を密閉する第２の防水部材と
を有することを特徴とする携帯端末。
【請求項２】
前記第１の防水部材は、接着剤または両面接着テープであることを特徴とする請求項１に記載された携帯端末。
【請求項３】
前記第２の防水部材は、弾性を有する部材であることを特徴とする請求項１または２に記載された携帯端末。
【発明の詳細な説明】
【技術分野】
【０００１】
本発明は、携帯端末に係り、特に、携帯端末が備える表示部の防水構造に関する。
【背景技術】
【０００２】
例えば、特許文献１には、携帯端末に設けられた液晶表示ディスプレイ（ＬＣＤ）の防水構造が開示されている。具体的には、ＬＣＤの端部全周が防水部材によってカバーされており、ケース本体に形成された開口からＬＣＤの表示画面が露出するように、防水部材と共にＬＣＤがケース本体に取付けられている。この防水部材により、ＬＣＤとケース本体との間が密閉され、内部への水滴の浸入が抑制される。
【特許文献１】特開２００４−７０６５７号公報
【発明の開示】
【発明が解決しようとする課題】
【０００３】
しかしながら、特許文献１に開示された防水構造では、ケース本体と表示パネルとの間でしか防水対策がなされておらず、高い次元で防水性能を期待することが難しい。
【０００４】
そこで、本発明の目的は、表示部を備える携帯端末の防水性能の向上を図ることである。
【課題を解決するための手段】
【０００５】
かかる課題を解決するために、本発明は、開口部が設けられたケース本体と、開口部の全周においてケース本体と重なり合うように、開口部に取付けられたシート状の透明部材と、開口部と位置的に対応して取付けられた表示パネルと、開口部の全周におけるケース本体と透明部材との間に介在し、ケース本体と透明部材との間を密閉する第１の防水部材と、ケース本体と表示パネルとの間に介在し、ケース本体と表示パネルとの間を密閉する第２の防水部材とを有する携帯端末を提供する。
【０００６】
ここで、本発明において、第１の防水部材は、接着剤または両面接着テープであることが好ましい。
【０００７】
また、本発明において、第２の防水部材は、弾性を有する部材であることが好ましい。
【発明の効果】
【０００８】
本発明によれば、第１の防水部材により、透明部材とケース本体との間が密閉されるとともに、第２の防水部材により、ケース本体と表示パネルとの間が密閉される。このような多重の防水対策により、ケース本体に設けられた表示パネル用の開口部が堅固に密閉されるため、ケース本体の気密性を著しく高めることができる。これにより、ケース本体内部への水滴の浸入が抑制され、表示パネル、ひいては、携帯端末の防水性能を高い次元で実現できる。
【発明を実施するための最良の形態】
【０００９】
図１は、本実施形態に係る携帯端末の外観斜視図である。この携帯端末１は、例えば、ゴルフ場といった屋外で使用される携帯型の情報端末であり、グリーンのカップ位置、ホール上での自己の現在位置、カップまでの残りヤード数といったホールに関する各種の情報をゴルファーに提供する。この携帯端末１には、ＧＰＳ（Global Positioning System）が搭載されており、携帯端末１の現在位置がリアルタイムで算出される。携帯端末１は、ケース本体１０と、外装ラバー２０と、表示ウィンドウ３０とを主体に構成されている。ケース本体１０は、略直方体形状を有するプラスチック製の筐体であり、携行時のフィット感を考慮して、その角部が曲線状に面取りされている。このケース本体１０の外側には、弾性の外装ラバー２０が取付けられており、これにより、携行時のグリップ感が確保される。ユーザ（ゴルファー）は、表示ウィンドウ３０内に表示される情報を参照しながら、外装ラバー２０に設けられた操作部２１をプッシュ操作することにより、必要な情報にアクセスする。
【００１０】
図２は、携帯端末１の展開斜視図である。ケース本体１０は、フロントケース１１と、リアケース１２とで構成される。フロントケース１１は、ケース本体１０の前面に相当する前面部１１ａと、この前面部１１ａと一体形成され、ケース本体１０の側面に相当する側面部１１ｂとを有する。前面部１１ａの略中央には、略矩形状の開口形状を有する開口部１３（以下「第１の開口部」という）が形成されている。また、側面部１１ｂには、略円形状の開口形状を有する開口部（以下「第２の開口部」という）１４が複数箇所（本実施形態では、図示しない部分を含む４箇所）に形成されている。一方、リアケース１２は、ケース本体１０の後面を構成し、フロントケース１１と結合可能となっている。
【００１１】
外装ラバー２０は、枠状の弾性部材であり、フロントケース１１の側面部１１ｂに取付けられている。外装ラバー２０の外側面２０ａには、ユーザによってプッシュ操作される操作部２１が設けられている。この操作部２１は、外装ラバー２０に一体的に形成されており、その形成位置は、側面部１１ｂにおける第２の開口部１４の形成位置と対応している。一方、外装ラバー２０の内側面２０ｂには、ケース本体１０の内側に向かって延在する突出部２２が、操作部２１と位置的に対応して設けられている。外装ラバー２０がケース本体１０に取付けられる場合には、突出部２２が第２の開口部１４に挿通される。なお、ケース本体１０の密閉性の向上を図るべく、それぞれの第２の開口部１４には防水パッキン５０が嵌め入れられる。
【００１２】
表示ウィンドウ３０は、シート状の透明部材であり、第１の開口部１３の全周に亘ってケース本体１０と重なり合うように、第１の開口部１３に取付けられている。表示ウィンドウ３０の取付けは、防水部材としての両面接着テープ６０によって行われる。この両面接着テープ６０は、第１の開口部１３に沿って、略矩形枠状に設けられており、第１の開口部１３の全周において表示ウィンドウ３０とケース本体１０とを互いに接着している。ケース本体１０における表示ウィンドウ３０の取付位置には、その周辺部位と比較して表示ウィンドウ３０の厚み相当だけ下方に窪んだ取付底面１１ｃが形成されている。そのため、表示ウィンドウ３０がケース本体１０に取付けられている状態では、表示ウィンドウ３０と前面部１１ａとがほぼ面一になるので、デザイン性を損なうことがない。
【００１３】
一対のケース１１，１２の内部には、プリント回路基板４０（以下「ＰＣＢ」という）が収納されている。このＰＣＢ４０上には、情報処理を行うのに必要な各種の電子部品が実装されている。ＰＣＢ４０の実装部品としては、表示機能を担う表示パネル４１、測位機能を担うＧＰＳモジュール４２、操作部２１によってプッシュ操作されるスイッチ４３等が挙げられるが、本実施形態では、特に表示パネル４１が重要となる。この表示パネル４１は、例えば液晶パネルや有機ＥＬパネルであって、フロントケース１１に設けられた第１の開口部１３と位置的に対応して、ＰＣＢ４０上に実装されている。
【００１４】
ケース本体１０内にＰＣＢ４０を収納する際には、まず、リアケース１２に設けられた載置部１２ａの上にＰＣＢ４０が載置される。つぎに、略矩形枠状の防水部材７０を用意する。この防水部材７０は、表示パネル４１の端部全周に設けられている外周枠４１ａと形状的に対応しており、例えば、ゴム、樹脂、発泡体のように、弾性を有し（例えば、その硬度が50°以下）かつ非透水性に優れる部材より形成されている。そして、外周枠４１ａに防水部材７０を重ね合わせた上で、フロントケース１１をリアケース１２に結合する。これらのケース１１，１２の結合によって、ＰＣＢ４０が固定的に挟持される。このような収納状態において、表示パネル４１は、表示ウィンドウ３０を介して、第１の開口部１３から露出する。
【００１５】
図３は、図１に示した携帯端末１のＡ−Ａ断面図である。この携帯端末１には、両面接着テープ６０および防水部材７０を用いた２重の防水対策が施されている。第１の対策として、第１の開口部１３の全周に亘って、表示ウィンドウ３０とケース本体１０との間に両面接着テープ６０を介在させている。これによって、表示ウィンドウ３０とケース本体１０との間が密閉され、ケース本体１０の気密性が高められる。また、第２の対策として、ケース本体１０と表示パネル４１との間に、枠状の防水部材７０を介在させている。これによって、ケース本体１０と表示パネル４１との間が堅固に密閉され、ケース本体１０の気密性が高められる。
【００１６】
このような二重の防水対策を講じることによって、表示パネル４１用に設けられた第１の開口部１３の密閉性が著しく向上する。これにより、ケース本体１０と表示パネル４１との間のみを密閉した単純な防水構造と比較して、ケース本体１０の気密性が高まり、表示パネル用の開口部１３からケース本体内部への水滴の浸入を高い次元で抑制することが可能となる。したがって、表示パネル４１、ひいては、携帯端末１の防水性能の向上を図ることができる。また、結果的に、水濡れによる携帯端末１の故障・損壊の発生を有効に抑制することができ、使用時に雨等の影響をあまり気にする必要もないので、ユーザにとって使い勝手によい携帯端末１を実現できる。
【００１７】
また、本実施形態では、表示ウィンドウ３０の取付けに両面接着テープ６０が用いられる。この両面接着テープ６０は、単に表示ウィンドウ３０とケース本体１０との間の接着を行うのみならず、表示パネル４１の防水機能の一旦を担うこととなる。これにより、両面接着テープ６０と防水部材７０との二重構造で防水対策を行うことが可能となり、携帯端末１の防水性能の向上を図ることができる。なお、ケース本体１０と表示ウィンドウ３０との間を密閉する防水部材としては、両面接着テープ６０に限定されず、接着剤等を用いてもよい。かかる場合であっも、上述した実施形態と同様に、二重の防水性能が得られる。
【００１８】
さらに、本実施形態では、防水部材７０が非透水性の弾性部材によって形成されている。防水部材７０は、防水機能を担うのみならず、携帯端末１に衝撃が加わった際に、自己の弾性によって衝撃を吸収する機能をも担う。したがって、表示パネル４１が破損することを効果的に抑制することができる。また、結果的に、防水性のみならず、対衝撃性の向上をも図ることができるので、ユーザにとって使い勝手によい携帯端末１を実現できる。
【００１９】
なお、本発明に係る携帯端末は、上述したゴルフ場用の携帯端末１に限定されるものではなく、屋外で使用され得る各種の情報端末、例えば、スキー場や登山といった用途で用いられるナビゲーション端末、携帯電話、ＰＤＡ等に広く適用することができる。
【図面の簡単な説明】
【００２０】
【図１】本実施形態に係る携帯端末の外観斜視図
【図２】携帯端末の展開斜視図
【図３】携帯端末の断面図
【符号の説明】
【００２１】
１    携帯端末
１０    ケース本体
１１    フロントケース
１１ａ  前面部
１１ｂ  側面部
１１ｃ  取付底面
１２    リアケース
１２ａ  載置部
１３    第１の開口部
１４    第２の開口部
２０    外装ラバー
２０ａ  外側面
２０ｂ  内側面
２１    操作部
２２    突出部
３０    表示ウィンドウ
４０    プリント回路基板（ＰＣＢ）
４１    表示パネル
４１ａ  外周枠
４２    ＧＰＳモジュール
４３    スイッチ
５０    防水パッキン
６０    両面接着テープ
７０    防水部材
【図１】
2006048098.tif 000003
【図２】
2006048098.tif 000004
【図３】
2006048098.tif 000005